(57)【要約】      （修正有）【課題】特別に室内加温用のヒータを設けることなく、例えば岩盤を温めるヒータだけでも浴用ボックスの室温を使用可能な温度まで短時間で上昇させることができ、入浴までの準備時間が短くて済む岩盤浴用ボックスを提供する。【解決手段】岩盤浴用ボックスAは、浴用ボックス10内に設けられ足載せ部71と座部72と背もたれ部74を有する座部構造体74、足載せ部71と座部72と背もたれ部74に設けられ天然石を含む石板部材712,722,742、足載せ部71と座部72と背もたれ部74の石板部材712,722,742を加温するヒータ716,726,749を備えている。座部72と背もたれ部74の裏側には、浴用ボックス10内の空気を対流または循環させる経路の一部を構成する空気流通経路70が設けられており、空気流通経路70は背もたれ部74と浴用ボックス10の壁面3との間の隙間740を含んでおり、座部72のヒータ726と背もたれ部74のヒータ746は空気流通経路70中に配されている。【選択図】図２
0003131266.tif 000002
【実用新案登録請求の範囲】
【請求項１】
使用者が出入り可能な浴用ボックス(10)と、
該浴用ボックス(10)内に設けられ、少なくとも座部(72)と背もたれ部(74)を有する座部構造体(74)と、
前記座部(72)と背もたれ部(74)に設けられ、天然石を含む石板部材(722,742)と、
前記座部(72)と背もたれ部(74)の石板部材(722,742)を加温するヒータ(726,749)と、
を備えており、
前記座部(72)の下側と背もたれ部(74)の裏側には、浴用ボックス(10)内の空気を対流または循環させる経路の一部を構成する空気流通経路(70)が設けられており、前記ヒータ(726,749)は、前記空気流通経路(70)中に配されている、
岩盤浴用ボックス。
【請求項２】
使用者が出入り可能な浴用ボックス(10)と、
該浴用ボックス(10)内に設けられ、足載せ部(71)と座部(72)と背もたれ部(74)を有する座部構造体(74)と、
前記足載せ部(71)と座部(72)と背もたれ部(74)に設けられ、天然石を含む石板部材(712,722,742)と、
前記足載せ部(71)と座部(72)と背もたれ部(74)の石板部材(712,722,742)を加温するヒータ(716,726,749)と、
を備えており、
前記座部(72)の下側と背もたれ部(74)の裏側には、浴用ボックス(10)内の空気を対流または循環させる経路の一部を構成する空気流通経路(70)が設けられており、該空気流通経路(70)は前記背もたれ部(74)と前記浴用ボックス(10)の壁面(3)との間の隙間(740)を含んでおり、前記座部(72)のヒータ(726)と背もたれ部(74)のヒータ(746)は、前記空気流通経路(70)中に配されている、
岩盤浴用ボックス。
【請求項３】
浴用ボックス(10)が、底面板(1)、正面板(2)、背面板(3)、両側面板(4,5)及び天板(6)で組み立て及び分解ができるように構成されており、前記正面板(2)、背面板(3)及び両側面板(4,5)は、ロック金具(22,32,44,52)を介して接合する構造である、
請求項１または２の岩盤浴用ボックス。
【請求項４】
浴用ボックス(10)内を加温するためのヒータ(13)を、石板部材(712,722,742)を加温するヒータ(716,726,749)とは別に備えている、
請求項１、２または３の岩盤浴用ボックス。
【請求項５】
石板部材(712,722,742)は、天然石をモルタル(715,725,745)で接着して所定の形状に形成されており、モルタル(715,725,745)には、炭が所要の割合で混ぜられている、
請求項１、２、３または４の岩盤浴用ボックス。
【請求項６】
浴用ボックス(10)内にミストまたは水蒸気を供給する加湿器を備えている、
請求項１、２、３、４または５の岩盤浴用ボックス。
【考案の詳細な説明】
【技術分野】
【０００１】
本考案は岩盤浴用ボックスに関するものである。更に詳しくは、熱効率にすぐれ、入浴準備をする際に、ボックス内の温度を入浴に適した温度まで短時間で上昇させることができる岩盤浴用ボックスに関する。
【背景技術】
【０００２】
岩盤浴は、自然石を遠赤外線放射体として使用し、比較的低温で身体を芯から温めることができる入浴法として、近年、特に普及がすすんでいる。有料の入浴施設などでは、入浴者が身体を伸ばして仰臥できるタイプのものが主流であり、一般家庭用のものとしても従来家庭用サウナ風呂などに採用されているボックスタイプのものが提案されている（特許文献１参照）。
【０００３】
【特許文献１】特開２００６−３３４２５８
【考案の開示】
【考案が解決しようとする課題】
【０００４】
しかしながら、特許文献１の岩盤浴用ボックスには、次のような課題があった。
すなわち、岩盤浴用ボックスの内部に設けられている石板ユニットは、床のほぼ全面に設けられ、しかも使用者が身体を伸ばして仰臥できるようになっている。このため、岩盤浴用ボックスはスペース効率がよいとはいえず、一般家庭での使用にはやや無理がある。
【０００５】
本願考案者は、前記岩盤浴用ボックスのスペース効率の問題を解消する手段として、使用者が仰臥するのではなく座るタイプの浴用ボックスの採用を検討した。これによれば、床面積が小さくなるため、従来の家庭用サウナボックスと同等のスペース効率が得られたが、岩盤浴用であるために次のような新たな課題を生じた。
【０００６】
つまり、岩盤浴では、家庭用サウナとは違って高温の蒸気や遠赤外線ヒータなどは使用せず、天然石をヒータで比較的低温（４０°程度）に温めて使用する。このため、浴用ボックス内の室温が上昇しにくく、特に冬場などは使用可能な室温まで上昇するまでに比較的長い時間を必要とする。
【０００７】
そこで本考案の目的は、使用者が仰臥するのではなく座るタイプの岩盤浴用ボックスにおいて、特別に室内加温用のヒータを設けることなく、例えば岩盤を温めるヒータだけでも浴用ボックスの室温を使用可能な温度まで短時間で上昇させることができ、入浴までの準備時間が短くて済み、使いやすい岩盤浴用ボックスを提供することである。
【課題を解決するための手段】
【０００８】
上記課題を解決するために本考案が講じた手段は次のとおりである。
本考案は、
使用者が出入り可能な浴用ボックスと、
該浴用ボックス内に設けられ、少なくとも座部と背もたれ部を有する座部構造体と、
前記座部と背もたれ部に設けられ、天然石を含む石板部材と、
前記座部と背もたれ部の石板部材を加温するヒータと、
を備えており、
前記座部の下側と背もたれ部の裏側には、浴用ボックス内の空気を対流または循環させる経路の一部を構成する空気流通経路が設けられており、前記ヒータは、前記空気流通経路中に配されている、岩盤浴用ボックスである。
【０００９】
本考案は、
使用者が出入り可能な浴用ボックスと、
該浴用ボックス内に設けられ、足載せ部と座部と背もたれ部を有する座部構造体と、
前記足載せ部と座部と背もたれ部にそれぞれ設けられ、天然石を含む石板部材と、
前記足載せ部と座部と背もたれ部の裏側にそれぞれ配され、石板部材を加温するヒータと、
を備えており、
前記座部の下側と背もたれ部の裏側には、浴用ボックス内の空気を対流または循環させる経路の一部を構成する空気流通経路が設けられており、該空気流通経路は前記背もたれ部と前記浴用ボックスの壁面との間の隙間を含んでおり、前記座部のヒータと背もたれ部のヒータは、前記空気流通経路中に配されている、岩盤浴用ボックスである。
【００１０】
本考案は、
浴用ボックスが、底面板、正面板、背面板、両側面板及び天板で組み立て及び分解ができるように構成されており、前記正面板、背面板及び両側面板は、ロック金具を介して接合する構造であるのがより好ましい。
【００１１】
本考案は、
浴用ボックス内を加温するためのヒータを、石板部材を加温するヒータとは別に備えているのがより好ましい。
【００１２】
本考案は、
石板部材が、天然石をモルタルで接着して所定の形状に形成されており、モルタルには、炭が所要の割合で混ぜられているのがより好ましい。
【００１３】
本考案は、
浴用ボックス内にミストまたは水蒸気を供給する加湿器を備えているのがより好ましい。
【００１４】
（作用）
本考案に係る岩盤浴用ボックスの作用を説明する。なお、ここでは本考案の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１５】
岩盤浴用ボックス(A)の使用準備をするために、ヒータ(716,726,749)によって座部構造体(7)の足載せ部(71)、座部(72)、背もたれ部(74)の石板部材(712,722,742)を加温する。
これに伴い、各ヒータ(716,726,749)が設けられている空気流通経路(70)中の空気の温度が上昇し、加温されて上昇した空気と入れ替わりに冷たい空気が移動してくることによって空気の流れが起こる。
【００１６】
移動してきた冷たい空気は、自然に座部(72)と背もたれ部(74)の裏側に設けられている空気流通経路(70)を通るので、効率的な熱交換が行われ、さらに対流が促進される。
これにより、石板部材(712,722,742)を温めるヒータ(716,726,749)だけでも浴用ボックス(10)の室温を使用可能な温度まで短時間で上昇させることができる。
そして、浴用ボックス(10)内が十分に温まったら、使用者は浴用ボックス(10)内に入って座部構造体(7)の座部(72)に座り、石板部材(712,722,742)からの遠赤外線を浴びて岩盤浴をすることができる。
【００１７】
浴用ボックス(10)が、底面板(1)、正面板(2)、背面板(3)、両側面板(4,5)及び天板(6)で組み立て及び分解ができるように構成されており、正面板(2)、背面板(3)及び両側面板(4,5)は、ロック金具(22,32,44,52)を介して接合する構造であるものは、岩盤浴用ボックスの組み立てにおいても、また分解においても簡単で迅速な作業が可能になる。これにより、設置場所の移動も短時間で容易にできる。
【００１８】
浴用ボックス(10)内を加温するためのヒータ(13)を、石板部材(712,722,742)を加温するヒータ(716,726,749)とは別に備えているものは、浴用ボックス(10)の室温を使用可能な温度まで、さらに短時間で上昇させることが可能になる。
【００１９】
石板部材(712,722,742)は、天然石をモルタル(715,725,745)で接着して所定の形状に形成されており、モルタル(715,725,745)には、炭が所要の割合で混ぜられているものは、石板部材(712,722,742)の熱効率が良好になり、所要の温度まで加温される時間がより短くなるとともに、保温性にも優れている。
【００２０】
浴用ボックス(10)内にミストまたは水蒸気を供給する加湿器を備えているものは、浴用ボックス(10)内の雰囲気に十分な湿度を与えることができるので、岩盤浴による遠赤外線の温熱効果をより高めることができる。
【考案の効果】
【００２１】
本考案の岩盤浴用ボックスは、使用準備をするためにヒータの電源を入れ、座部構造体の石板部材を加温することにより、各ヒータが設けられている空気流通経路中の空気の温度が上昇し、加温されて上昇した空気と入れ替わりに冷たい空気が移動してくることによって空気の流れが起こり、冷たい空気が自然に座部と背もたれ部の裏側に設けられている空気流通経路を通るので、効率的な熱交換が行われ、さらに対流が促進される。
これにより、石板部材を温めるヒータだけでも浴用ボックスの室温を使用可能な温度まで短時間で上昇させることができ、入浴までの準備時間が短くて済み、使いやすい。
【考案を実施するための最良の形態】
【００２２】
本考案を図に示した実施例に基づき詳細に説明する。
【実施例】
【００２３】
図１は本考案に係る岩盤浴用ボックスの外観を示す斜視図、
図２は岩盤浴用ボックスの全体構造を示す分解斜視図、
図３は岩盤浴用ボックスの内部構造を示す分解斜視図、
図４は岩盤浴用ボックスの縦断面図、
図５は岩盤浴用ボックスの横断面図である。
【００２４】
岩盤浴用ボックスＡは、組み立てと分解が可能な構造を有している。岩盤浴用ボックスＡは、底板１、正面板２、背面板３、右側面板４、左側面板５、天板６で構成される浴用ボックス１０と、座部構造体７を備えている。
【００２５】
（底板１）
底板１は、フラッシュ構造の板体であり平面視で長方形状（正方形の場合もある）である。底板１の上面には例えば石綿板などの防水性の表面材（図示及び符号省略）が張設されている。底板１の上面には、四辺に沿うように縁辺から内方へやや間隔をおいて嵌入溝１１が設けられている。嵌入溝１１は、各角部でつながっており、平面視長方形の枠状である。嵌入溝１１には、正面板２、背面板３、右側面板４及び左側面板５の下端部を嵌め入れて立てることができる。
【００２６】
底板１の前部寄りには、前部側の嵌入溝１１と平行に所要深さの収容凹部１２が設けられている。収容凹部１２の内部には、電気ヒータ７１６が収容され、取付具（符号省略）を介して固定されている。また、底板１の後部寄りには、後部側の嵌入溝１１と平行に、取付具（符号省略）を介して電気ヒータ１３が取り付けられている。電気ヒータ１３は、石板部材などの加温にはそれ程影響せず、主に浴用ボックス１０内の温度を上げて所定の温度で維持するためのヒータである。
【００２７】
（正面板２）
正面板２は、フラッシュ構造の板体であり正面視長方形状である。正面板２の中央部には開閉自在なドア２１が設けられている。正面板２の左右両側すなわち縦長辺部の端面には、それぞれ三箇所（縦長辺部の上下方向中央と上下両端寄り）に固定用金具２２が取り付けられている。固定用金具２２は、後述する右側面板４の固定用金具４４及び左側面板５の固定用金具５２とそれぞれ対を成してロック金具を構成するものであり、両金具は互いの固定及び固定解除を行うことができる。
【００２８】
（背面板３）
背面板３は、前記正面板２と同様にフラッシュ構造の板体であり、正面板２と同じ大きさを有している。正面板２の両側の縦長辺部の端面には、正面板２の前記固定用金具２２と同様の固定用金具３２が同様の箇所に取り付けられている。
【００２９】
（右側面板４、左側面板５）
右側面板４及び左側面板５は、前記正面板２と同様にフラッシュ構造で長方形状の板体である。右側面板４の内面には、座受部材４１と背受部材４２が表面から突出するように設けられている。座受部材４１は、図３に示すように右側面板４の下部中央に山形状に設けられており、背受部材４２は、同じく右側面板４の下部後方側に後方へ傾斜して設けられている。
【００３０】
なお、座受部材と背受部材は左側面板５にも同様に設けられている。左側面板５の座受部材と背受部材は、図には表れていない。左側面板５に設けられている座受部材と背受部材は、組み立て時において、右側面板４に設けられている座受部材４１と背受部材４２と鏡像位置にあり同様の形状である。
【００３１】
また、右側面板４の上部後方側には、正面板（符号省略）にがらり構造を有する収容箱４３が取り付けられている。収容箱４３には、加湿器（図示省略）が収容されており、ボックス内にミストを供給できるようにしてある。
【００３２】
さらに、右側面板４及び左側面板５の前後両側すなわち縦長辺部の端面寄りの表面側には、それぞれ三箇所（縦長辺部の上下方向中央と上下両端寄り）に固定用金具４４、５２が取り付けられている。固定用金具４４、５２は、前記したように前記正面板２及び背面板３の固定用金具２２、３２と対を成してロック金具を構成するものであり、両金具は互いの固定、固定解除を行うことができる。
【００３３】
（天板６）
天板６はフラッシュ構造で長方形状であり、底板１の嵌入溝１１に下端部を嵌め入れて立てられた正面板２、背面板３、右側面板４及び左側面板５で形成された上部開口部（符号省略）に取り付けられている。天板６の底面には、底面視四角形の嵌入部６１が突出して設けられており、天板６は嵌入部６１を前記上部開口部を塞ぐように正面板２、背面板３、右側面板４及び左側面板５の上端内面に内嵌めして取り付けられている。
【００３４】
また、天板６の正面側の下端縁部には、全幅にわたり段部６２が形成されている。段部６２は、正面側で正面板２の上端面との間で飾り溝（符号省略）を形成するものである。段部６２により、岩盤浴用ボックスＡの使用時に天板６が温められて反ったときに、天板６の下面と正面板２の上端面に新たな溝ができてもカムフラージュすることができ、外観が見苦しくなるのを防止できる。
【００３５】
（座部構造体７）
底板１、正面板２、背面板３、右側面板４、左側面板５及び天板６で形成された浴用ボックス１０内には、座部構造体７が収容されて取り付けられている。
座部構造体７は、足載せ部材７１、座部材７２、がらり部材７３、背もたれ部材７４で構成されている。これら各部材の構造及び取付構造は次のとおりである。
【００３６】
足載せ部材７１は、板体で平面視長方形状に形成された枠７１１の上面側に石板部材７１２を取り付けた構造である。石板部材７１２の裏面には、金属板（例えば鉄板）７１３が配されている。石板部材７１２は、四枚の天然石７１４を図３に示すように並べ、モルタル７１５で接着して（固めて）全体を長方形の板状に形成したものである。なお、モルタル７１５には、炭粉または炭粒（図示省略）が適宜割合で混ぜられており、石板部材７１２が加温されやすいようにしている。
【００３７】
足載せ部材７１は、図４に示すように、底板１の前部側に正面板２、右側面板４及び左側面板５の内側に嵌め入れるようにして置かれており、固着はされていない。足載せ部材７１の石板部材７１２は、後方へやや傾斜している。足載せ部材７１をこのように設置することにより、底板１の収容凹部１２に設けられている前記電気ヒータ７１６によって、前記金属板７１３及び石板部材７１２を加温することができる。
【００３８】
座部材７２は、足載せ部材７１と同様に板体で平面視長方形状に形成された枠７２１の上面側に石板部材７２２を取り付けた構造である。石板部材７２２の裏面には、金属板７２３が配されている。なお、石板部材７２２の構造は、前記石板部材７１２と同様の構造であり、四枚の天然石７２４を並べ、炭粉または炭粒を混ぜたモルタル７２５で接着して全体を長方形の板状に形成したものである。
【００３９】
座部材７２は、右側面板４の座受部材４１の上側を構成する横部（符号省略）と、左側面板５の座受部材の上側を構成する横部に両側端部を載置して取り付けられている。
また、両座受部材の横部の間には、電気ヒータ７２６が横方向に取り付けられており、この電気ヒータ７２６によって、前記座部材７２の金属板７２３及び石板部材７２２を加温することができるようにしてある。なお、電気ヒータ７２６の両座受部材への取り付けは、浴用ボックス１０の組み立て時に行われる。
【００４０】
がらり部材７３は、羽板を上下方向に等間隔で設けて通気可能に形成した部材である。がらり部材７３は、座部材７２の前下方に右側面板４の座受部材４１の縦部前面側と、左側面板５の座受部材の縦部前面側に両側端部を立て掛けるようにして、前記足載せ部材７１の後端との間の隙間に入れて取り付けられており、固着はされていない。
【００４１】
背もたれ部材７４は、板体（上部横部材７４６は、上部が丸められた棒体）で長方形状に形成され、両側下部には脚７４７を有する枠７４１の前面側に石板部材７４２を取り付けた構造である。石板部材７４２の裏面には、金属板（例えば鉄板）７４３が配されている。なお、石板部材７４２の構造は、六枚の天然石７４４を並べ、炭粉または炭粒を混ぜたモルタル７４５で接着して全体を長方形の板状に形成したものである。
【００４２】
右側面板４の背受部材４２と左側面板５の背受部材の横部の間には、電気ヒータ７４９が横方向に取り付けられており、この電気ヒータ７４９によって、前記背もたれ部材７４の金属板７４３及び石板部材７４２を加温することができるようにしてある。
なお、前記座部材７２の電気ヒータ７２６と、背もたれ部材７４の電気ヒータ７４９は、それぞれ両座受部材の間と、両背受部材の間に取り付けられる構造であるが、電気ヒータ７２６は座部材７２と一体に、また、電気ヒータ７４９は背もたれ部材７４と一体に設けることもできる。
【００４３】
また、背もたれ部材７４は、前記両背受部材の前面側に両側端部を立て掛けるようにして、座受部材４１の横部後端との間の隙間に入れて取り付けられており、固着はされていない。上部横部材７４６の後部には、左右二箇所にスペーサ７４８が所要の間隔で設けられており、前記のように背もたれ部材７４を取り付けたときに、背面板３の内面との間に空気を流通、循環させるための隙間７４０が形成されるようにしている。
【００４４】
なお、前記がらり部材７３から入って座部材７２の下方の空間を通り、さらに脚７４７の間を通って前記背もたれ部材７４の裏側の空間を通り、前記隙間７４０から上方へ抜ける経路は、空気流通経路７０を構成している。また、前記構造によって、空気流通経路７０の経路中には、前記各電気ヒータ７１６、７２６、７４９、１３が位置している。
【００４５】
（作用）
図１ないし図５を参照して岩盤浴用ボックスＡの作用を説明する。
岩盤浴用ボックスＡを室内などに設置する際の組み立ては次のように行う。
まず、設置箇所に底板１を置き、その上面に設けられている嵌入溝１１に正面板２、背面板３、右側面板４、左側面板５の各板を差し込んで立てる。そして、正面板２の固定用金具２２及び背面板３の固定用金具３２を右側面板４の固定用金具４４及び左側面板５の固定用金具５２と相互に固定しロックする。さらに、正面板２、背面板３、右側面板４及び左側面板５の上部に天板６を取り付ける。
【００４６】
次に、電気ヒータ７１６、１３を底板１に取り付け、電気ヒータ７２６、７４９をそれぞれ右側面板４と左側面板５の両座受部材間と両背受部材間に取り付ける。なお、前記したように電気ヒータ７２６を座部材７２と一体に、電気ヒータ７４９を背もたれ部材７４と一体に設けると、電気ヒータ７２６、７４９の取付作業が不要になる。そして、足載せ部材７１を底板１の最前部に置き、前記両座受部材の横部に座部材７２を載置し、両座受部材の縦部前面側にがらり部材７３を立て掛け、前記両背受部材の前面側に背もたれ部材７４を立て掛ける。最後に、各電気ヒータ７１６、７２６、７４９、１３や収容箱４３内の加湿器の配線などを行って、組み立て作業を完了する。
【００４７】
前記組み立て構造は、すべての接合箇所において、接着剤による接着や釘着などの分解が困難な手段を採用しておらず、単に構成材を組み合わせるだけであるので特に道具なども必要なく、組み立てと分解作業を短時間で簡単に行うことができる。
なお、岩盤浴用ボックスＡの設置場所を移動する場合の分解は、前記組み立ての手順と大体において逆の手順で行うことができる。
【００４８】
岩盤浴用ボックスＡに入浴する場合は、使用準備をするために、まず各電気ヒータ７１６、７２６、７４９、１３の電源を入れ、座部構造体７の足載せ部材７１、座部材７２、背もたれ部材７４の各石板部材７１２、７２２、７４２を加温する。
これに伴い、各電気ヒータ７１６、７２６、７４９、１３が設けられている空気流通経路７０の経路中の空気の温度が上昇し、加温された空気は背もたれ部材７４の裏側の隙間７４０を通って上昇する。そして、空気流通経路７０内には、加温されて上昇した空気と入れ替わりに、冷たい空気ががらり部材７３を通って移動してくることによって空気の流れ（対流）が起こる。
【００４９】
空気流通経路７０内に移動してきた冷たい空気は、空気流通経路７０を通りながら各電気ヒータ７１６、７２６、７４９、１３との熱交換によって温められ、これが連続的に行われるためさらに対流が促進される（空気の流れを表した図４の矢印参照）。また、各電気ヒータ７１６、７２６、７４９、１３は空気流通経路７０に順に配されているので、流通する空気との間で効率的な熱交換が行われる。これによって、浴用ボックス１０の室温を使用可能な温度まで短時間で上昇させることができるので、入浴までの準備時間が短くて済み、使いやすい。
【００５０】
なお、各石板部材７１２、７２２、７４２を加温する各電気ヒータ７１６、７２６、７４９は、安全のために各石板部材７１２、７２２、７４２の表面温度が制限される関係上、あまり熱量の大きいものは使用できないために、本実施の形態では背もたれ部材７４の後方にある電気ヒータ１３によって浴用ボックス１０内の室温の上昇を助けている。なお、室温の上昇が多少は遅くなるが、電気ヒータ１３を設けずに石板部材７１２、７２２、７４２を加温する各電気ヒータ７１６、７２６、７４９だけで室温を上昇させる構造としてもよい。
【００５１】
そして、岩盤浴用ボックスＡ内が十分に温まったら、使用者は岩盤浴用ボックスＡ内に入って座部構造体７の座部材７２に座り、足を足載せ部材７１に載せ、背もたれ部材７４に背を付けて、各石板部材７１２、７２２、７４２からの遠赤外線を浴びて岩盤浴をすることができる。なお、岩盤浴用ボックスＡ内には、加湿器からミストが供給されているので、雰囲気に十分な湿度が与えられており、岩盤浴による遠赤外線の温熱効果をより高めることができる。
【００５２】
なお、本明細書で使用している用語と表現は、あくまで説明上のものであって限定的なものではなく、上記用語、表現と等価の用語、表現を除外するものではない。また、本考案は図示されている実施の形態に限定されるものではなく、技術思想の範囲内において種々の変形が可能である。
【図面の簡単な説明】
【００５３】
【図１】本考案に係る岩盤浴用ボックスの外観を示す斜視図。
【図２】岩盤浴用ボックスの全体構造を示す分解斜視図。
【図３】岩盤浴用ボックスの内部構造を示す分解斜視図。
【図４】岩盤浴用ボックスの縦断面図。
【図５】岩盤浴用ボックスの横断面図。
【符号の説明】
【００５４】
Ａ  岩盤浴用ボックス
１０  浴用ボックス
１  底板
１１  嵌入溝
１２  収容凹部
１３  電気ヒータ
２  正面板
２１  ドア
２２  固定用金具
３  背面板
３２  固定用金具
４  右側面板
４１  座受部材
４２  背受部材
４３  収容箱
４４  固定用金具
５  左側面板
５２  固定用金具
６  天板
６１  嵌入部
６２  段部
７  座部構造体
７０  空気流通経路
７１  足載せ部材
７１１  枠
７１２  石板部材
７１３  金属板
７１４  天然石
７１５  モルタル
７１６  電気ヒータ
７２  座部材
７２１  枠
７２２  石板部材
７２３  金属板
７２４  天然石
７２５  モルタル
７２６  電気ヒータ
７３  がらり部材
７４  背もたれ部材
７４０  隙間
７４１  枠
７４２  石板部材
７４３  金属板
７４４  天然石
７４５  モルタル
７４６  上部横部材
７４７  脚
７４８  スペーサ
７４９  電気ヒータ
【図１】
0003131266.tif 000003
【図２】
0003131266.tif 000004
【図３】
0003131266.tif 000005
【図４】
0003131266.tif 000006
【図５】
0003131266.tif 000007